(57)【要約】【課題】記録再生システムを従来のＰＳ系からＴＳ系へ移行することにより、ＴＳをそのまま記録媒体に記録再生することが可能であり、また、ＴＳ／ＰＳ変換処理を施すことによりＴＳ系とＰＳ系システムとの間でのダビングも可能である。【解決手段】ＴＳ／ＰＳコントローラ１２と、該ＴＳ／ＰＳコントローラ１２に接続されＴＳあるいはＰＳの記録再生が可能である少なくとも２つの記録媒体制御装置１３1，１３2と、ＰＳコントローラ１５と、該ＰＳコントローラに接続されＰＳの記録再生が可能である少なくとも１つの記録媒体制御装置１６1とを有し、ＴＳ／ＰＳコントローラ１２とＰＳコントローラ１５はパス１８により接続されている。このパス１８によりＴＳ／ＰＳコントローラ１２とＰＳコントローラ１５間のＰＳ転送を無劣化かつ高速に行うことができる。【選択図】図１
2006135781.tif 000002
【特許請求の範囲】
【請求項１】
ＴＳ（トランスポートストリーム）／ＰＳ（プログラムストリーム）コントローラと、該ＴＳ／ＰＳコントローラに接続されＴＳあるいはＰＳの記録再生が可能である少なくとも２つの記録媒体制御装置と、ＴＳデコーダと、ＴＳ／ＰＳエンコーダと、ＰＳコントローラと、該ＰＳコントローラに接続されＰＳの記録再生が可能である少なくとも１つの記録媒体制御装置と、ＰＳデコーダと、前記ＴＳ／ＰＳコントローラと前記ＰＳコントローラとを接続するパスとを有することを特徴とする動画像記録再生装置。
【請求項２】
請求項１に記載の動画像記録再生装置において、ＴＳあるいはＰＳの記録再生が可能である少なくとも２つの前記記録媒体制御装置のうち、少なくとも１つの記録媒体制御装置内の記録媒体が、ＴＳ記録用とＰＳ記録用とのパーティションをそれぞれ有する記録媒体であることを特徴とする動画像記録再生装置。
【発明の詳細な説明】
【技術分野】
【０００１】
本発明は、動画像記録再生装置、より詳細には、複数の記録媒体制御装置を有する動画像記録再生装置に関する。
【背景技術】
【０００２】
近年のＤＶＤの急速な普及の高まりを受け、ＤＶＤ単体レコーダ、あるいはＨＤＤ等複数の記録媒体制御装置を兼ね備えたＤＶＤ複合レコーダが相次いで商品化されており、この背景には、ＤＶＤが高画質、高音質、高圧縮などの優れた特徴を有するＭＰＥＧ２規格を採用していることが挙げられる。ＭＰＥＧ２には２種類の方式が規定されており、デジタル放送等の放送・通信での使用を前提とするＴＳ（トランスポートストリーム）方式と、蓄積型メディアでの使用を前提とするＰＳ（プログラムストリーム）方式とがある。蓄積型メディアであるＤＶＤは後者の方式を採用しており、複数の記録媒体制御装置を備えるＤＶＤレコーダの内部構成は、ＤＶＤとの互換性を保つためにＰＳ系の記録再生システムを採用している場合が多い。
【０００３】
図２は、従来の動画像記録再生装置のハードウェア構成を示すブロック図で、図中、２０は従来の動画像記録再生装置を示し、動画像記録再生装置２０は、ＰＳエンコーダ２１と、ＰＳコントローラ２２と、該ＰＳコントローラ２２に接続されＰＳの記録再生が可能である２つの記録媒体制御装置２３１，２３２と、ＰＳデコーダ２４により構成される。記録を行う場合、アナログ放送あるいは外部入力により入力された信号（Ｓｉｎ）は、ＰＳエンコーダ２１によりＰＳに符号化され、ＰＳコントローラ２２により所定のストリーム変換が施された後、記録媒体制御装置２３１又は２３２内の記録媒体に記録される。
再生を行う場合、記録媒体に記録されたＰＳはＰＳコントローラ２２により所定のストリーム変換が施された後、ＰＳデコーダ２４により復号されて外部に出力される（Ｓｏｕｔ）。記録媒体間でダビングを行う場合、ＰＳコントローラ２２を介して所定のストリーム変換を施した後、記録媒体間のＰＳの移動あるいは複写が行われ、高速にダビングを行うことも可能である。
【０００４】
図３は、図２に示した構成に、更に、ビデオコントローラ２５と、ＶＴＲ（記録媒体制御装置）２６を加えた、従来の動画像記録再生装置のハードウェア構成を示すブロック図で、図２に示した動画像記録再生装置の機能に加え、切り換えスイッチＳＷ１とＳＷ２とを切り換えることにより、ビデオテープ（ＶＴＲ）に対する記録再生、あるいはＰＳの記録再生が可能である記録媒体制御装置２３１、２３２内の記録媒体と記録媒体制御装置２６のビデオテープ間でのダビングを可能としたものである。
【発明の開示】
【発明が解決しようとする課題】
【０００５】
ＰＳ方式が蓄積型メディア向けの規格であるのに対し、ＴＳ方式は、通信路の伝送方式と親和性の高い１８８バイト固定長の短いパケット、複数チャンネルの多重化等の特徴を有することにより、より放送に適した方式となっている。これにより、複数チャンネル対応、ハイビジョン放送、種々のマルチメディアデータ放送等、ストリームの自由な組み合わせによる、様々なデジタル放送サービスを享受することが可能である。従来のように、ＰＳ系の記録再生システムを用いた動画像記録再生装置の場合、デジタル放送を記録するためには、ＴＳを外部のデジタルチューナ装置を介して一旦復号した後、動画像記録再生装置に入力し、再度ＰＳに符号化する必要がある。ＴＳストリームを直接記録媒体に対し記録再生することができないため、デジタル放送の上記メリットは失われる。
【課題を解決するための手段】
【０００６】
第１の動画像記録再生装置は、ＴＳ／ＰＳコントローラと、該ＴＳ／ＰＳコントローラに接続されＴＳあるいはＰＳの記録再生が可能である少なくとも２つの記録媒体制御装置と、ＴＳデコーダと、ＴＳ／ＰＳエンコーダと、ＰＳコントローラと、該ＰＳコントローラに接続されＰＳの記録再生が可能である少なくとも１つの記録媒体制御装置と、ＰＳデコーダと、前記ＴＳ／ＰＳコントローラと前記ＰＳコントローラとを接続するパスとを有することを特徴としたものである。
【０００７】
第２の動画像記録再生装置は、第１に記載の動画像記録再生装置において、ＴＳあるいはＰＳの記録再生が可能である少なくとも２つの前記記録媒体制御装置のうち、少なくとも１つの記録媒体制御装置内の記録媒体が、ＴＳ記録用とＰＳ記録用とのパーティションをそれぞれ有する記録媒体であることを特徴としたものである。
【発明の効果】
【０００８】
本発明によると、記録再生システムを従来のＰＳ系からＴＳ系へ移行することにより、ＴＳをそのまま記録媒体に記録再生することが可能であり、また、ＴＳ／ＰＳ変換処理を施すことによりＴＳ系とＰＳ系システムとの間でのダビングを実行することもできる。
【０００９】
第１の動画像記録再生装置は、ＴＳ／ＰＳコントローラと、該ＴＳ／ＰＳコントローラに接続されＴＳあるいはＰＳの記録再生が可能である少なくとも２つの記録媒体制御装置と、ＴＳデコーダと、ＴＳ／ＰＳエンコーダと、ＰＳコントローラと、該ＰＳコントローラに接続されＰＳの記録再生が可能である少なくとも１つの記録媒体制御装置と、ＰＳデコーダと、前記ＴＳ／ＰＳコントローラと前記ＰＳコントローラとを接続するパスとを有するので、ＴＳ／ＰＳコントローラとＰＳコントローラ間のＰＳ転送を無劣化かつ高速に行うことができる。
【００１０】
第２の動画像記録再生装置は、第１の動画像記録再生装置において、ＴＳあるいはＰＳの記録再生が可能である少なくとも２つの記録媒体制御装置のうち、少なくとも１つの記録媒体制御装置内の記録媒体が、ＴＳ記録用とＰＳ記録用とのパーティションをそれぞれ有する記録媒体であるので、ＰＳコントローラが、ＴＳ／ＰＳコントローラに接続される記録媒体制御装置内の記録媒体におけるＰＳ記録用パーティションを、ＰＳコントローラに接続される記録媒体制御装置内の記録媒体として認識することが可能であり、また１つの記録媒体をＴＳおよびＰＳ用に使用することができる。
【発明を実施するための最良の形態】
【００１１】
次に、本発明による動画象記録再生装置の実施形態について、本装置をレコーダ商品として使用することを想定して説明するが、本装置はテレビやパソコン等の応用商品として、内部に組み込んで使用することも可能である。
【００１２】
図１は、本発明による動画像記録再生装置の一実施形態を説明するための示すブロック図で、該動画像記録再生装置１０は、ＴＳ／ＰＳエンコーダ１１と、ＴＳ／ＰＳコントローラ１２と、該ＴＳ／ＰＳコントローラ１２に接続されＴＳあるいはＰＳの記録再生が可能である少なくとも２つの記録媒体制御装置１３１，１３２…と、ＴＳデコーダ１４と、ＰＳコントローラ１５と、該ＰＳコントローラ１５に接続されＰＳの記録再生が可能である少なくとも１つの記録媒体制御装置１６１…と、ＰＳデコーダ１７と、ＴＳ／ＰＳコントローラ１２とＰＳコントローラ１５とを接続するパス１８により構成される。ここで、ストリームコントローラとは、ストリームの暗号化、復号、ＰＩＤ（パケット識別子）のフィルタリング、タイムスタンプの付加、コピー制御情報の付加等の各種ストリーム変換、記録媒体制御装置とのインターフェース、メモリ等の機能を有するものである。
【００１３】
ＴＳ／ＰＳコントローラ１２とＰＳコントローラ１５とはデータパス１８で接続されており、ＰＳの送受信を高速に行うことが可能である。また、ＴＳ／ＰＳエンコーダ１１は、入力されたアナログ信号をＴＳあるいはＰＳへ符号化を行うエンコーダである。ＴＳ／ＰＳエンコーダ１１による符号化は実時間であるため、ＴＳ／ＰＳエンコーダ１１による符号化が必要とされるダビングの場合は、コンテンツの記録時間分の時間を要し、また再符号化することにより画質の劣化を伴う。また、ＳＷ１は、外部より入力されたアナログ信号と、ＴＳデコーダ１４あるいはＰＳデコーダ１７により復号されたアナログ信号とを入力選択するスイッチであり、ＳＷ２は、外部より入力されたＴＳと、ＴＳ／ＰＳエンコーダ１１により符号化されたＴＳとを入力選択するスイッチであり、ＳＷ３は、ＰＳデコーダ１７により復号されたアナログ信号と、ＴＳデコーダ１４により復号されたアナログ信号とを入力選択するスイッチである。
【００１４】
入力部は、ＴＳストリームの送受信が可能であるｉ．ＬＩＮＫ等のインターフェース、あるいはデジタル放送用アンテナ入力端子を備え、デジタル放送用アンテナ入力端子が装着される場合には、本装置内部にデジタルチューナ部が必要となり、デジタル放送波の復調を行う。また入力部は、アナログ放送用アンテナ入力端子あるいは外部入力端子を備え、アナログ放送用アンテナ入力端子が装着される場合には、本装置内部にアナログチューナ部が必要となり、アナログ放送波の復調を行う。出力部は、テレビあるいはＶＴＲに接続可能な、アナログあるいはデジタルの映像・音声出力端子を備える。
【００１５】
まず、始めに、ＴＳの記録を行う手順について説明する。入力されたＴＳは、ＴＳ／ＰＳコントローラ１２において所定のストリーム変換処理を施された後、ＴＳの記録再生が可能な記録媒体制御装置１３１，１３２…内の記録媒体に記録される。
次に、ＴＳの再生を行う手順について説明する。ＴＳの記録再生が可能な記録媒体制御装置１３１，１３２…内の記録媒体より読み出されたＴＳは、ＴＳ／ＰＳコントローラ１２により所定のストリーム変換処理を施された後、ＴＳデコーダ１４により復号され、外部に出力される。アナログ放送あるいは外部入力をＴＳとして記録する場合は、ＴＳ／ＰＳエンコーダ１１に入力されたアナログ信号はＴＳに符号化された後、ＳＷ２を通してＴＳ／ＰＳコントローラ１２に入力され、所定のストリーム変換処理を施された後、ＴＳの記録再生が可能な記録媒体制御装置１３１，１３２…内の記録媒体に記録される。
【００１６】
次に、ＰＳの記録を行う手順について説明する。デジタル放送をＰＳとして記録する場合は、ＴＳ／ＰＳコントローラ１２、ＴＳデコーダ１４を経て復号されたアナログ信号は、ＴＳ／ＰＳエンコーダ１１によりＰＳに符号化され、ＰＳコントローラ１５に入力された後、所定のストリーム変換処理を施され、ＰＳの記録再生が可能な記録媒体制御装置１６１…内の記録媒体に記録される。アナログ放送あるいは外部入力をＰＳとして記録する場合は、入力されたアナログ信号はＴＳ／ＰＳエンコーダ１１によりＰＳに符号化され、ＰＳコントローラ１５に入力された後、所定のストリーム変換処理を施され、ＰＳの記録再生が可能な記録媒体制御装置１６１…内の記録媒体に記録される。
【００１７】
次に、ＰＳの再生を行う手順について説明する。ＰＳの記録再生が可能な記録媒体制御装置１６１…内の記録媒体より読み出されたＰＳは、ＰＳコントローラ１５により所定のストリーム変換処理を施された後、ＰＳデコーダ１７により復号化され、外部に出力される。
【００１８】
次に、ダビングを行う手順について説明する。本装置は、図１のようなハードウェア構成をとることにより、各記録媒体制御装置内の記録媒体間におけるダビングが可能である。まず、ＴＳ／ＰＳコントローラ１２に接続される記録媒体制御装置１３１，１３２…内の記録媒体間におけるダビングについて説明する。記録媒体に記録されているＴＳあるいはＰＳは、ＴＳ／ＰＳコントローラ１２により所定のストリーム変換処理を施された後、他の記録媒体に複写される。再符号化を伴わないため、無劣化かつ高速なダビングを行うことが可能である。
【００１９】
次に、ＰＳコントローラ１５に接続される記録媒体制御装置１６１…内の記録媒体間におけるＰＳのダビングについて説明する。記録媒体に記録されているＰＳは、ＰＳコントローラ１５により所定のストリーム変換処理を施された後、他の記録媒体に複写される。再符号化を伴わないため、無劣化かつ高速なダビングを行うことが可能である。
【００２０】
次に、ＴＳ／ＰＳコントローラ１２に接続されＴＳの記録再生が可能である記録媒体制御装置１３１，１３２…内の記録媒体から、ＰＳコントローラ１５に接続されＰＳの記録再生が可能である記録媒体制御装置１６１…内の記録媒体へのダビングについて説明する。ＴＳは、ＴＳ／ＰＳコントローラ１２により所定のストリーム変換処理を施された後、ＴＳデコーダ１４により復号され、選択スイッチＳＷ３、ＳＷ１を経由してＴＳ／ＰＳエンコーダ１１に入力され、該ＴＳ／ＰＳエンコーダ１１によりＰＳに再符号化された後、ＰＳコントローラ１５により所定のストリーム変換を施され、ＰＳの記録再生が可能である記録媒体制御装置１６１…内の記録媒体へ記録される。再符号化を行うことにより、実時間かつ画質の劣化を伴うダビングとなる。
【００２１】
次に、ＰＳコントローラ１５に接続されＰＳの記録再生が可能である記録媒体制御装置内１６１…の記録媒体から、ＴＳ／ＰＳコントローラ１２に接続されＴＳの記録再生が可能である記録媒体制御装置１３１，１３２…内の記録媒体へのダビングについて説明する。ＰＳは、ＰＳコントローラ１５により所定のストリーム変換処理を施された後、ＰＳデコーダ１７により復号され、選択スイッチＳＷ３、ＳＷ１を経由してＴＳ／ＰＳエンコーダ１１に入力され、該ＴＳ／ＰＳエンコーダ１１によりＴＳに再符号化された後、ＴＳ／ＰＳコントローラ１２により所定のストリーム変換を施され、ＴＳの記録再生が可能である記録媒体制御装置１３１，１３２…内の記録媒体へ記録される。再符号化を行うことにより、実時間かつ画質の劣化を伴うダビングとなる。
【００２２】
次に、ＴＳ／ＰＳコントローラ１２に接続されＰＳの記録再生が可能である記録媒体制御装置１３１，１３２…内の記録媒体と、ＰＳコントローラ１５に接続されＰＳの記録再生が可能である記録媒体制御装置１６１…内の記録媒体との間でのダビングについて説明する。ＴＳ／ＰＳコントローラ１２とＰＳコントローラ１５とは、ＰＳの高速転送が可能なパス１８で接続されており、ＰＳはダビング元の記録媒体制御装置と接続されているストリームコントローラにより所定のストリーム変換を施された後、パス１８を通じて他方のストリームコントローラに転送され、ダビング先の記録媒体に記録される。再符号化を伴わないため、無劣化かつ高速なダビングを行うことが可能である。
【００２３】
また、本発明の動画像記録再生装置は、ＴＳあるいはＰＳの記録再生が可能である少なくとも２つの記録媒体制御装置のうち、少なくとも１つの記録媒体制御装置内の記録媒体が、ＴＳ記録用とＰＳ記録用とのパーティションをそれぞれ有する記録媒体であることを特徴とし、ＰＳコントローラが、ＴＳ／ＰＳコントローラに接続される記録媒体制御装置内の記録媒体におけるＰＳ記録用パーティションを、ＰＳコントローラに接続される記録媒体制御装置内の記録媒体として認識することが可能であり、１つの記録媒体をＴＳおよびＰＳ用に兼用することができる。これにより、従来のＰＳシステム系のソフトウェアコードを大幅に修正することなく、ＰＳコントローラに接続される記録媒体制御装置を削減することが可能である。
【図面の簡単な説明】
【００２４】
【図１】本発明による動画像記録再生装置の一実施形態を説明するためのブロック図である。
【図２】従来の動画像記録再生装置の一例を説明するためのブロック図である。
【図３】従来の動画像記録再生装置の一例を説明するためのブロック図である。
【符号の説明】
【００２５】
１０…動画像記録再生装置、１１…ＴＳ／ＰＳエンコーダ、１２…ＴＳ／ＰＳコントローラ、１３１，１３２…記録媒体制御装置、１４…ＴＳデコーダ、１５…ＰＳコントローラ、１６１…記録媒体制御装置、１７…ＰＳデコーダ、１８…パス。
【図１】
2006135781.tif 000003
【図２】
2006135781.tif 000004
【図３】
2006135781.tif 000005